(57)【要約】【課題】  マウスとの位置関係を保持することができて使い勝手に優れたマウス用アームレストを提供すること。【解決手段】  マウスパッドやテーブル類の平坦な転動面に同時に点接触可能に少なくとも３個のボール１２を底ケース６に回転自由に設けた移動台５に、先端部１５ａに両面接着テープ片１６の一面側が固定された所定長さの柔軟性を有するベルト１５の基端部を取付け、そのテープ片１６の露出する接着面側をマウスｍの適宜箇所に接着することにより移動台５をベルト１５を介して当該マウスｍに連結することができるように設け、移動台５のパッド３０に手首又は手首から肘寄りの箇所を載せるようにした。【選択図】  図２
2007080122.tif 000002
【特許請求の範囲】
【請求項１】
マウスパッドやテーブル類の平坦な転動面に同時に点接触可能に少なくとも３個のボールを底部側に回転自由に設けた移動台に、先端部に接着テープ片の一面側が固定された所定長さの柔軟性を有するベルトの基端部を取付け、そのテープ片の露出する接着面側をマウスの適宜箇所に接着することにより前記移動台を該ベルトを介して当該マウスに連結することができるように設け、前記移動台に固定されたパッドに手首又は手首から肘寄りの箇所を載せるように構成したことを特徴とするマウス用アームレスト。
【請求項２】
マウスパッドやテーブル類の平坦な転動面に同時に点接触可能に少なくとも３個のボールを底部側に回転自由に設けた移動台に、先端部に接着テープ片の一面側が固定された所定長さの柔軟性を有するベルトの基端部を取付け、そのテープ片の露出する接着面側をマウスの適宜箇所に接着することにより前記移動台を該ベルトを介して当該マウスに連結することができるように設け、前記移動台に手首又は手首から肘寄りの箇所を載せる柔軟で弾力性を有するパッドを係止手段によって着脱自在に設けたことを特徴とするマウス用アームレスト。
【発明の詳細な説明】
【技術分野】
【０００１】
本発明は、パーソナルコンピュータの操作・入力作業を行う際に使用される、手首又は手首から肘寄りの箇所を載せて移動可能なマウス用アームレストに関する。
【背景技術】
【０００２】
この種アームレストは、パーソナルコンピュータの操作・入力作業をマウスを使用して長時間行うときに生ずる腕や肩の疲労を軽減するために用いられる。例えば、特開平８−２８６７８２号公報に開示されたアームレストは、手首或いはその少し肘寄りの部分を載せる載置面を天側に備え、マウスパッドなどの操作平面と操作時に接して全方向に移動できる低摩擦面を底側に備えた構造とされている。
【０００３】
また、実用新案登録第３０６２０５３号公報には、ボール状の車輪を設けた車輪部の中央と、円盤状の台座の中央とを昇降用ネジを介して上下方向に連結し、その昇降用ネジによって台座の高さを調節可能に設けたアームレストが開示されている。
【０００４】
ところで、マウスによりディスプレー上のカーソルを操作する時の手の動作については、文字入力作業とＣＡＤ等における図形作成・入力作業では異なるが、特に図形作成・入力作業では手を大きく前後左右・斜め方向に動かす場合と、手首を固定して指先を細かく動かす場合とがある。上記何れの公報に記載のアームレストも、手首或いはその少し肘寄りの部分を支持して手の動きに追随する機能を有する。しかし、これらのアームレストはマウスと連結されていないので、手を浮かせてマウスを移動させるときなどにマウスとの位置関係がずれてしまうため、そのような場合には改めてアームレストを所望箇所にセットしなければならないという不便さがある。
【０００５】
また、アームレストの上部は柔らかい素材であれば手首等を載せたときの感触がよいと思われるが、使用するに従ってその部分に汚れを生じ易い。そこで、汚れた箇所をきれいにするためにアームレストの上部を取り外すことができる構造が好ましい。
【特許文献１】特開平８−２８６７８２号公報
【特許文献２】実用新案登録第３０６２０５３号公報
【発明の開示】
【発明が解決しようとする課題】
【０００６】
本発明の目的は、マウスとの位置関係を保持することができて使い勝手に優れたマウス用アームレストを提供することにある。
【課題を解決するための手段】
【０００７】
前記目的を達成するために請求項１に記載した発明は、マウスパッドやテーブル類の平坦な転動面に同時に点接触可能に少なくとも３個のボールを底部側に回転自由に設けた移動台に、先端部に接着テープ片の一面側が固定された所定長さの柔軟性を有するベルトの基端部を取付け、そのテープ片の露出する接着面側をマウスの適宜箇所に接着することにより前記移動台を該ベルトを介して当該マウスに連結することができるように設け、前記移動台に固定されたパッドに手首又は手首から肘寄りの箇所を載せるように構成したことを特徴とするものである。
【０００８】
同様の目的を達成するために請求項２に記載した発明は、マウスパッドやテーブル類の平坦な転動面に同時に点接触可能に少なくとも３個のボールを底部側に回転自由に設けた移動台に、先端部に接着テープ片の一面側が固定された所定長さの柔軟性を有するベルトの基端部を取付け、そのテープ片の露出する接着面側をマウスの適宜箇所に接着することにより前記移動台を該ベルトを介して当該マウスに連結することができるように設け、前記移動台に手首又は手首から肘寄りの箇所を載せる柔軟で弾力性を有するパッドを係止手段によって着脱自在に設けたことを特徴とするものである。
【発明の効果】
【０００９】
（請求項１の発明）
このマウス用アームレストは、ベルトによってマウスに連結する構成とすることにより、手を移動台から浮かせてマウスを移動させるときにもマウスと一緒に移動するのでマウスとの位置関係がずれてしまうことがなく、大変使い勝手がよい。勿論、本来の手の疲労を軽減する効果を有するものである。
【００１０】
（請求項２の発明）
このマウス用アームレストは、ベルトによってマウスに連結する構成とすることにより、手を移動台から浮かせてマウスを移動させるときにもマウスと一緒に移動するのでマウスとの位置関係がずれてしまうことがなく、大変使い勝手がよい。加えて、手首等を載せるパッドを移動台から簡単に取り外すことができるので、パッドの手入れ等を行なう際に便利である。
【発明を実施するための最良の形態】
【００１１】
以下に、本発明の最良の形態例を図面に基づいて説明する。図１はマウス用アームレストの平面図、図２は同、裏面図、図３はパッドの裏面図、図４は移動台の分解斜視図、図５は移動台の縦断側面図、図６は本発明のマウス用アームレストをマウスに取り付けた状態を示す説明図である。
【００１２】
図１に示す本発明のマウス用アームレスト１は、マウスパッドやテーブル類の平坦な転動面を移動させる移動台５に、手首又は手首から肘寄りの箇所を載せるためのパッド３０を着脱自在に設けた概要構成とされている。
【００１３】
図４に示すように、移動台５の底ケース６には、スチール製ボール１２を収容する収容孔７を四隅に形成し、その中央部にビス１３を挿通するボス８を形成している。９，９は一方側の収容孔７，７とボス８との間に配設された一対の係止溝である。これら係止溝９，９には、後記ベルト１５の支持軸１８を係止可能に設けている。１０はベルト１５を通すための開口部である。
【００１４】
ベルト１５は、所定長さで柔軟性を有する素材を用い、先端部１５ａに両面接着テープ片１６の一面側が貼着され、基端部の折り返し部１５ｂの内方に支持軸１８を挿通している。なお、両面接着テープ片１６の露出した接着面には、剥離紙１７を被着している。
【００１５】
ベース２０は、上記底ケース６に被着可能に少し窪むように形成された底面２０ａの中央部にナット２１をインサートし、その下面２０ａにあてがわれる矩形状の薄い鋼板２２をリベット２５により固定している。２３は鋼板２２に形成されたビス１３を通す透孔である。２６はベース２０の少し窪むように形成された上面２０ｂに接着剤等により固定される係止手段としてのマジックテープ（登録商標）の一方の（パイル状）係止部材である。
【００１６】
しかして、図５に示すように、底ケース６の４箇所の収容孔７にボール１２を夫々収め、底ケース６の係止溝９，９にベルト１５の支持軸１８を挿入して当該ベルト１５をセットした状態にてベース２０を載せ、ついで、ビス１３をナット２１に締付けることにより底ケース６とベース２０とが一体化された移動台５が構成される。なお、その移動台５のボール１２については、マウスパッドやテーブル類の平坦な転動面に同時に点接触可能で回転自由に設けられている。
【００１７】
パッド３０は、表面を起毛状とされた布を用いて動物の顔を模した形態に縫製された扁平な袋体３１に、柔軟で弾力性を有するウレタンフォーム等の詰め物３２を充填している。図３に示すように、パッド３０の裏面中央には、マジックテープ（登録商標）の他方の（フック状）係止部材３３を取付けている。しかして、パッド３０の係止部材３３を上記移動台５の係止部材２６に押し付けることにより、パッド３０は移動台５に固定される。
また、パッド３０が汚れたときなどに手入れを行なう場合には、係止部材２６と係止部材３３の係合を外すことによりパッド３０を移動台５から簡単に取り外すことができる。
【００１８】
以上により、マウスパッドやテーブル類の平坦な転動面を移動させる移動台５に、手首等を載せるパッド３０を着脱自在とした本発明のマウス用アームレスト１が構成される。
【００１９】
なお、この実施形態におけるマウス用アームレスト１では、ベルトを接着テープ片を用いてマウスに固定する構成としているが、マジックテープ（登録商標）を利用してベルトをマウスに固定する構成とすることも可能である。
【００２０】
つぎに、本発明のマウス用アームレスト１の使い方について述べる。
（１）図６に示すように、ベルト１５の両面接着テープ片１６の剥離紙１７を剥して露出する接着面をマウスｍの後端部等に接着することによりベルト１５をマウスｍに連結する。これにより、マウス用アームレスト１はマウスｍに取付けられる。
（２）これにより、手首又は手首から肘寄りの箇所をマウス用アームレスト１のパッド３０に載せてマウスｍを握り、手を大きく前後左右・斜め方向に動かしたり、手首を固定して指先を細かく動かしたりすることができる。通常のパーソナルコンピュータの操作・入力作業において、マウス用アームレスト１は手の動きに従ってボール１２の回転作用により円滑に移動する。手を移動台５から浮かせてマウスｍを移動させるときにおいても、マウス用アームレスト１はマウスｍと一緒に移動するため、マウスｍとの位置関係が保持されてずれることがない。
【００２１】
この実施形態におけるマウス用アームレスト１は、移動台５にパッド３０を着脱自在に設けた構成としているが、移動台の上面に弾力性を有するパッドを固定するように設けることもできる（請求項１の発明）。
【００２２】
以上に述べた通り、このマウス用アームレストは、ベルトによってマウスに連結する構成とすることにより、手を移動台から浮かせてマウスを移動させるときにもマウスと一緒に移動するのでマウスとの位置関係がずれてしまうことがない。
【図面の簡単な説明】
【００２３】
【図１】マウス用アームレストの平面図
【図２】同、裏面図
【図３】パッドの裏面図
【図４】移動台の分解斜視図
【図５】移動台の縦断側面図
【図６】本発明のマウス用アームレストをマウスに取り付けた状態を示す説明図
【符号の説明】
【００２４】
１・・・マウス用アームレスト
５・・・移動台
６・・・底ケース
１２・・・ボール
１５・・・ベルト
１５ａ・・・先端部
１６・・・両面接着テープ片
２０・・・ベース
２６・・・係止部材（係止手段の一部）
３０・・・パッド
３３・・・係止部材（係止手段の一部）
ｍ・・・マウス
【図１】
2007080122.tif 000003
【図２】
2007080122.tif 000004
【図３】
2007080122.tif 000005
【図４】
2007080122.tif 000006
【図５】
2007080122.tif 000007
【図６】
2007080122.tif 000008